(57)【要約】【課題】本発明は、任意の太さの配線を短距離で容易に設置でき、長時間使用したり、配線を設置する際やレイアウトを変更する際に引っ張ったりしても、切断したり漏電することのないフロアパネルを提供する。【解決手段】上方に開口した略十字状の配線用溝部が形成されており、平面形状が略矩形のパネル本体と、該配線用溝部に着脱自在に装着される蓋体からなるフロアパネルであって、上記パネル本体は、４個のパネル単位体と該パネル単位体を連結する接続部材と該パネル単位体に連設され、蓋体を支持する支持部材よりなり、上記パネル単位体は、略４分の１円形状天板の周囲に円弧状側壁と平板状側壁が垂設され、接続部材と円弧状側壁により配線用溝部が形成されており、上記支持部材は、４個のパネル単位体の円弧状側壁と接続部材から形成された配線用溝部の中央部を避けてその中央部付近に設置されているフロアパネル。【選択図】  図１
2004250967.tif 000002
【特許請求の範囲】
【請求項１】
上方に開口した略十字状の配線用溝部が形成されており、平面形状が略矩形のパネル本体と、該配線用溝部に着脱自在に装着される蓋体からなるフロアパネルであって、
上記パネル本体は、４個のパネル単位体と該パネル単位体を連結する接続部材と該パネル単位体に連設され、蓋体を支持する支持部材よりなり、
上記パネル単位体は、略４分の１円形状天板の周囲に円弧状側壁と平板状側壁が垂設され、円弧状側壁には蓋体を係止するための段部が形成されており、
上記接続部材は、隣り合うパネル単位体の円弧状側壁下部付近同士に接続され、接続部材と円弧状側壁により配線用溝部が形成されており、
上記支持部材は、４個のパネル単位体の円弧状側壁と接続部材から形成された配線用溝部の中央部を避けてその中央部付近に設置されていることを特徴とするフロアパネル。
【請求項２】
パネル単位体が、略矩形の天板の周囲に側壁が垂設されてなるパネル構成部材（ａ）と、略４分の１円形状円弧と、該円に内設された互いに略直角な２辺と、該辺と前記円弧を接続する辺から形成された形状の天板と、該天板の周囲に円弧状側壁と平板状側壁が垂設されてなるパネル構成部材（ｂ）と、パネル構成部材（ａ）の側壁の上部付近とパネル構成部材（ｂ）の平板状側壁の上部付近を連結する連結部材とからなることを特徴とする請求項１記載のフロアパネル。
【請求項３】
パネル構成部材（ａ）の天板及びパネル構成部材（ｂ）の天板に、該パネル構成部材（ａ）と該パネル構成部材（ｂ）を連結する連結部材を挟むように貫通孔が穿孔されていることを特徴とする請求項２記載のフロアパネル。
【請求項４】
支持部材は、天板の周囲から側壁が垂設されてなる中空で下方が開口された箱状であり、該側壁の下端部付近と円弧状側壁の下端部付近が板状接続部材により間隔をあけて連設されていることを特徴とする請求項１〜３のいずれか１項に記載のフロアパネル。
【請求項５】
４個の支持部材は、その側壁下端部付近が十字状の板状接続部材によりお互いに接続されていることを特徴とする請求項４項に記載のフロアパネル。
【請求項６】
円弧状側壁の段部付近に、隣り合うパネル単位体の方向に配線突出防止用突起が略水平に設置されていることを特徴とする請求項１〜５のいずれか１項記載のフロアパネル。
【発明の詳細な説明】
【０００１】
【発明の属する技術分野】
本発明は、フロアパネルに関する。
【０００２】
【従来の技術】
オフィスオートメーションの進歩にともないオフィス内に多数の事務機器や通信機器が設置されるようになってきており、その配線を安全かつ見栄えよく行うことは重要課題のひとつであり、そのためにフロアパネルが使用されている。
【０００３】
フロアパネルは、機器を載せたり人が歩いても壊れないだけの機械的強度があること、床スラブに直接施工してもがたつかない不陸調整機能を有し歩行した際にフロアパネル本体や蓋ががたつかないこと、配線ができること、レイアウトの変更が容易であること等が要求されており、種々の提案がなされている。
【０００４】
例えば、所定の間隔を置いて配置した中空で底面が開放している複数個の配線溝形成用方形ブロックの側面下端部相互を、上記ブロックの厚さより薄い薄肉連結部で連結することにより、隣合うブロックとブロックの間に薄肉連結部を底とする直交配線溝を形成し、その直交配線溝の上面開口をカバー板で覆ってパネルの上面を平らに構成した配線用フロアパネルが提案されている（特許文献１参照）。
【０００５】
又、天板表面から脚部を垂下させた天板付き単位体と、両側が脚部となった上方に開口した配線用溝が設けられ、該配線用溝の開口に蓋が着脱自在に装着された溝付き単位体とを備え、天板付き単位体と溝付き単位体の上部を薄肉部で互いに連接すると共に、溝付き単位体の脚部の下部に脚部同士を互いに連結する底板部を設け、この底板部の厚みを脚部を構成する構成部材の厚みより厚く設定したことを特徴とする床配線装置が提案されている（特許文献２参照）。
【０００６】
【特許文献１】
実公平５−３９１４３号公報
【特許文献２】
特許第３００７８１７号
【０００７】
しかし、上記フロアパネル（床配線装置）は配線用溝は直交して形成されており、溝の交わる側壁は略直角に接続されているため、配線、特に太い配線を直角にまげて設置することは困難であった。又、配線が長くなる、レイアウトを変更する際の配線の設置が困難である等の欠点があった。
【０００８】
更に、配線が溝の角部にあたり、長時間使用したり、配線を設置する際やレイアウトを変更する際に引っ張ったりすると、切断したり漏電するという欠点があった。
【０００９】
【発明が解決しようとする課題】
本発明の目的は、上記欠点に鑑み、任意の太さの配線を短距離で容易に設置でき、長時間使用したり、配線を設置する際やレイアウトを変更する際に引っ張ったりしても、切断したり漏電することのないフロアパネルを提供することにある。
【００１０】
【課題を解決するための手段】
請求項１記載のフロアパネルは、上方に開口した略十字状の配線用溝部が形成されており、平面形状が略矩形のパネル本体と、該配線用溝部に着脱自在に装着される蓋体からなるフロアパネルであって、
上記パネル本体は、４個のパネル単位体と該パネル単位体を連結する接続部材と該接続部材に連設され、蓋体を支持する支持部材よりなり、
上記パネル単位体は、略４分の１円形状天板の周囲に円弧状側壁と平板状側壁が垂設され、円弧状側壁には蓋体を係止するための段部が形成されており、
上記接続部材は、隣り合うパネル単位体の円弧状側壁下部付近同士に連結され、接続部材と円弧状側壁により配線用溝部が形成されており、
上記支持部材は、４個のパネル単位体の円弧状側壁と接続部材から形成された配線用溝部の中央部を避けてその中央部付近に設置されていることを特徴とするものである。
【００１１】
上記請求項１載のフロアパネルは、任意の太さの配線を短距離で容易に設置でき、長時間使用したり、配線を設置する際やレイアウトを変更する際に引っ張ったりしても、切断したり漏電することがない。
【００１２】
又、支持部材は、４個のパネル単位体の円弧状側壁と接続部材から形成された配線用溝部に設置されているから、強固に蓋体を支持することができ、蓋体に大きな荷重がかかっても破壊されることがない。
【００１３】
請求項２記載のフロアパネルは、パネル単位体が、略矩形の天板の周囲に側壁が垂設されてなるパネル構成部材（ａ）と、略４分の１円形状円弧と、該円に内設された互いに略直角な２辺と、該辺と前記円弧を接続する辺から形成された形状の天板と、該天板の周囲に円弧状側壁と平板状側壁が垂設されてなるパネル構成部材（ｂ）と，パネル構成部材（ａ）の側壁の上部付近とパネル構成部材（ｂ）の平板状側壁の上部付近を連結する連結部材とからなることを特徴とする請求項１記載のフロアパネルである。
【００１４】
従って、請求項２記載のフロアパネルは、更に、床スラブに直接施工してもがたつかない不陸調整機能が優れており、上を歩行した際にフロアパネル本体や蓋ががたつくことがない。
【００１５】
請求項３記載のフロアパネルは、パネル構成部材（ａ）の天板及びパネル構成部材（ｂ）の天板に、該パネル構成部材（ａ）と該パネル構成部材（ｂ）を連結する連結部材を挟むように貫通孔が穿孔されていることを特徴とする請求項２記載のフロアパネルである。
【００１６】
従って、請求項３記載のフロアパネルは室温が変化してフロアパネルが膨張・収縮しても、膨張・収縮は連結部材と貫通孔により吸収され、フロアパネルが破壊されたり、上を歩行した際にがたつくことがない。
【００１７】
請求項４記載のフロアパネルは、支持部材が天板の周囲から側壁が垂設されてなる中空で下方が開口された箱状であり、該側壁の下端部付近と円弧状側壁の下端部付近が板状接続部材により間隔をあけて連設されていることを特徴とする請求項１〜３のいずれか１項に記載のフロアパネルである。
【００１８】
従って、請求項４記載のフロアパネルにおいては、支持部材と円弧状側壁の間及び支持部材同士の間の両方に配線を設置することができ、配線を任意の方向に且つ短距離で容易に設置することができる。
【００１９】
請求項５記載のフロアパネルは、４個の支持部材は、その側壁下端部付近が十字状の板状接続部材によりお互いに接続されていることを特徴とする請求項４に記載のフロアパネルである。
【００２０】
従って、請求項５記載のフロアパネルにおいては、支持部材が強固に接続されており、強固に蓋体を支持することができ、蓋体に大きな荷重がかかっても破壊されることがない。
【００２１】
又、配線用溝部はいずれの部分においても円弧状側壁と支持部材の側壁と接続部材により囲まれているので、配線がフロアパネルの下側にもぐりこむことがない。従って、フロアパネルががたついたり、フロアパネルによって押圧された配線が切断したり漏電することがない。
【００２２】
請求項６記載のフロアパネルは、円弧状側壁の段部付近に、隣り合うパネル単位体の方向に配線突出防止用突起が略水平に設置されていることを特徴とする請求項１〜５のいずれか１項記載のフロアパネルである。
【００２３】
従って、請求項６記載のフロアパネルは、配線用溝部に配線を設置する際や、設置後に配線用溝部から配線がみだりに外れることがなく、配線を安全、容易且つ見栄えよく行うことができ、使用中に配線が配線用溝部から外部に露出し、切断されることがない。
【００２４】
【発明の実施の形態】
次に、本発明を図面を参照して説明する。図１は本発明におけるパネル本体の一例を示す平面図であり、図２は底面図であり、図３は側面図である。図４は図１におけるＡ−Ａ破断面図であり、図５は図１におけるＢ−Ｂ破断面図であり、図６は図１におけるＣ−Ｃ破断面図である。
【００２５】
図中１は平面形状が略矩形のパネル本体であり、パネル本体１は４個のパネル単体４、４、４、４と、これらパネル単体４を連結する接続部材５、５・・と、パネル単体４に連設され、蓋体を支持する４個の支持部材６、６、６、６よりなる。
【００２６】
パネル単体４は、パネル構成部材（ａ）４５、パネル構成部材（ｂ）４６及びパネル構成部材（ａ）４５とパネル構成部材（ｂ）４６を連結する連結部材４７よりなる。
【００２７】
パネル構成部材（ａ）４５は略矩形の天板４１１の周囲に平板状側壁４３１、４３２、４３３及び４３４が垂設された、中空で下方が開放された箱状の形状をしている。
【００２８】
又、平板状側壁４３１、４３２、４３３及び４３４の端部及び中心部は補強のため中空柱状の脚部４８・・・が形成され、その間は切り欠かかれて開口部４８１・・・が形成されている。尚、４９・・はパネル構成部材（ａ）４５を補強するためのリブである。
【００２９】
パネル構成部材（ｂ）４６は、略４分の１円形状円弧と、該円に内設された互いに略直角な２辺と、該辺と前記円弧を接続する辺から形成された形状の天板４１２と、該天板の周囲に円弧状側壁４２と平板状側壁４３５、４３６、４３７、４３８が垂設された、中空で下方が開放された箱状の形状をしている。
【００３０】
パネル構成部材（ａ）４５の平板状側壁４３３の上部付近とパネル構成部材（ｂ）４６の平板状側壁４３６の上部付近及びパネル構成部材（ａ）４５の平板状側壁４３４の上部付近とパネル構成部材（ｂ）４６の平板状側壁４３７の上部付近がそれぞれ連結部材４７・・・で連結されている。
【００３１】
パネル構成部材（ａ）４５の天板４１１及びパネル構成部材（ｂ）４６の天板４１２に、パネル構成部材（ａ）４５とパネル構成部材（ｂ）４６を連結する連結部材４７を挟むように長方形状の貫通孔８、８が穿孔されている
【００３２】
そして、天板４１１と天板４１２により、パネル単位体４の略４分の１円形状天板４１が形成されおり、パネル単位体４の平板状側壁４３は、平板状側壁４３１と平板状側壁４３８及び平板状側壁４３２と平板状側壁４３５より形成されている。
【００３３】
円弧状側壁４２は屈曲されて段部４４が形成され、段部４４の端部及びその内側に、直線状のリブ４２１、４２２が立設されている。リブ４２１は段部４４の端部に連続して立設され、リブ４２２はその内側に、リブ４２１に平行して断続的に立設されている。
【００３４】
その結果、蓋体の下面に形成されているリブがリブ４２１とリブ４２２の間、リブ４２２と円弧状側壁４２の間及びリブ４２２の切り欠かれた部分に嵌入し装着されるようになされている。
【００３５】
尚、リブ４２１及びリブ４２２は、後述する蓋部材（ｂ）が装着される段部４４のみに立設されているのであって、蓋部材（ａ）が装着されるパネル本体の中央部付近の段部４４には形成されていない。
【００３６】
パネル単位体４と対向するパネル単位体４は、円弧状側壁４２の下端部に設置された、板状の接続部材５・・・により接続されており、円弧状側壁４２及び接続部材５により上方に開口した略十字状の配線用溝部３が形成されている。
【００３７】
支持部材６は略三角形の天板６１の周囲から３枚の側壁６２、６２、６２が垂設された、中空で下方が開口された三角の箱状をしており、天板６１には貫通孔６４が穿設され、側壁６２、６２、６２には段部６３が形成されている。
【００３８】
支持部材６は、円弧状側壁４２の下端部付近からパネル本体１の中央部に向かって設置された板状の接続部材５１、５１と支持部材６の側壁６２の下端部付近が接続されることにより、円弧状側壁４２から間隔をあけて連接されている。
【００３９】
又、４つの支持部材６、６、６、６は、その側壁６２・・・の下端部付近が十字状の平板状の接続部材５２によりお互いに接続されて、配線用溝部３の中心部を避けて中心部付近に設置されている。
【００４０】
８・・・は平板状の配線突出防止用突起であり、円弧状側壁４２の段部４４に立設されたリブ４２１の上端部から配線用溝部３方向に略水平に多数個突設されている。
【００４１】
本発明で使用される蓋体２は、配線用溝部３に着脱自在に装着され、配線用溝部３に蓋をしうるものであれば任意の形状のものが使用可能であるが、製造、運搬、施工等が容易で強度の高いものが好ましく、配線用溝部３の中央部に装着される、略８角形の蓋部材（ａ）とその周囲に装着される４枚の略矩形の蓋部材（ｂ）から形成されるのが好ましい。
【００４２】
図７は蓋部材（ａ）２１の一例を示す平面図であり、図８はその底面図である。又、図９は、図７におけるＤ−Ｄ破断面図である。
【００４３】
蓋部材（ａ）２１の平面形状は、２組の相対向する辺２１１と辺２１２及び辺２１３と辺２１４は略平行な直線状であり、辺２１１と辺２１３、辺２１３と辺２１２、辺２１２と辺２１４及び辺２１４と辺２１１の間の辺２１５・・は円弧上側壁４２に沿う形状である、凹の略円弧状であって、全体として略８角形をしている。
【００４４】
２１６は施工や補修の際に、指を差し込んで蓋部材（ａ）２１を持ち上げるための切欠部である。又、蓋部材（ａ）の裏面には、その上に重い物品を乗せても壊れないように多数のリブ２１７・・・が立設されている。
【００４５】
図１０は蓋部材（ｂ）２２の一例を示す平面図であり、図１１はその底面図である。又、図１２は図１０におけるＥ−Ｅ破断面図であり、図１３は図１０におけるＦ−Ｆ破断面図である。
【００４６】
蓋部材（ｂ）２２の平面形状は、略矩形をしており、１辺に施工や補修の際に、指を差し込んで蓋部材（ｂ）２２を持ち上げるための切欠部２２１が形成されている。
【００４７】
蓋部材（ｂ）２２の裏面中央部には、その上に重い物品を乗せても壊れないように多数のリブ２２２・・・が垂設されている。又、蓋部材（ｂ）２２の裏面両側部には、リブ２２２より高いリブ２２３及び２２４が垂設されている。
【００４８】
リブ２２３は蓋部材（ｂ）２２の両側部に各平行に２本垂設されており、リブ２２４はリブ２２３を連結するようにリブ２２３に対して垂直方向に複数本垂設されており、リブ２２３及びリブ２２４は中空で下方が開放された箱状のリブを形成している。
【００４９】
リブ２２３は蓋部材（ｂ）を配線用溝部３に装着する際に、円弧状側壁４２の段部４４に立設されているリブ４２１とリブ４２２の間及びリブ４２２と円弧状側壁４２の間に嵌入するようになされており、リブ２２４はリブ４２２の切欠部に嵌入するようになされている。
【００５０】
図１４は上記パネル本体１に蓋体２を装着した本発明のフロアパネルの一例を示す模式図であり、図１５は図１におけるＢ−Ｂ断面図において配線用溝部３に蓋部材（ｂ）２２を装着した状態を示す破断面図である。
【００５１】
パネル本体１に形成された、上方に開口した略十字状の配線用溝部３の上に溝部３を覆うように、１枚の蓋部材（ａ）２１と４枚の蓋部材（ｂ）２２・・からなる蓋体２が装着されている。
【００５２】
蓋部材（ａ）２１は４個の支持部材６・・と４個のパネル単位体４・・の円弧状側壁４２・・に形成された段部４４・・の上に載置されて、配線用溝部３の中央部に装着されている。
【００５３】
蓋部材（ｂ）２２は相対向するパネル単位体４、４の円弧状側壁４２、４２に形成された段部４４、４４の上に載置されて、配線用溝部３の側部に装着されている。
【００５４】
蓋部材（ｂ）は図１５に示すように、段部４４に形成されたリブ４２１とリブ４２２の間及びリブ４２２と円弧状側壁４２の間に蓋部材（ｂ）２２のリブ２２３が嵌入され、（図示されていないが）リブ２２４がリブ４２２の切り欠かれた部分に嵌入されて装着されている。
【００５５】
本発明のフロアパネルは公知の任意の材料で製造されうるが、機械的強度が高く、軽量で成形性の優れたものが好ましく、ポリプロピレン樹脂、ポリエチレン樹脂、ポリカーボネート樹脂、ＡＢＳ樹脂等の合成樹脂が好ましい。
【００５６】
パネル本体と蓋体は同じ材料で製造されてもよいし、異なる材料で製造されてもよい。又、蓋体は、蓋体を剥がすことなく配線の状態を目視できるよう透明又は半透明の材料で製造されるのが好ましい。
【００５７】
本発明のフロアパネルを設置するには、従来行われているのと同様に行えばよく、例えば、設置すべき場所にパネル本体を配線用溝部が連続するように設置し、配線用溝部に配線を設置し、しかる後、蓋体を装着すればよい。又、配線を変更する際には、蓋体をはずして配線を変更して、その後、再度蓋体を装着すればよい。
【００５８】
【発明の効果】
請求項１記載のフロアパネルの構成は上述の通りであり、上方に開口した略十字状の配線用溝部が形成されており、平面形状が略矩形のパネル本体と、該溝部に着脱自在に装着される蓋体からなるフロアパネルであって、上記パネル本体は、４個のパネル単位体と該パネル単位体を連結する接続部材と該接続部材に連設され、蓋体を支持する支持部材よりなり、上記パネル単位体は、略４分の１円形状天板の周囲に円弧状側壁と平板状側壁が垂設され、円弧状側壁上部には蓋体を係止するための段部が形成されており、上記接続部材は、隣り合うパネル単位体の円弧状側壁下部付近同士に接続され、接続部材と円弧状側壁により配線用溝部が形成されているから、任意の太さの配線を短距離で容易に設置でき、長時間使用しても配線がフロアパネルの角部にこすれて切断したり漏電することがない。
【００５９】
又、配線を設置する際やレイアウトを変更する際に配線を引張っても、配線用溝部は曲線で形成されているので配線は角部にひっかかったり、こすれることがなく、作業が容易であり、切断したり漏電することがない。
【００６０】
又、配線用溝部は円弧状側壁とそれを下端部付近で接続する接続部材より形成されているので、配線用溝部に配線を設置した場合、配線がパネル本体の下側にもぐりこむことがない。従って、フロアパネルががたついたり、フロアパネルによって押圧された配線が切断したり漏電することがない。
【００６１】
更に、支持部材は、４個のパネル単位体の円弧状側壁と接続部材から形成された配線用溝部に設置されているから、強固に蓋体を支持することができ、蓋体に大きな荷重がかかっても破壊されることがなく、且つ、支持部材は配線用溝部の中心部を避けてその中心部付近に設置されているので、配線を直線に設置する際の邪魔にならない。
【００６２】
請求項２記載のフロアパネルは、パネル単位体が、略矩形の天板の周囲に側壁が垂設されてなるパネル構成部材（ａ）と、略４分の１円形状円弧と、該円に内設された互いに略直角な２辺と、該辺と前記円弧を接続する辺から形成された形状の天板と、該天板の周囲に円弧状側壁と平板状側壁が垂設されてなるパネル構成部材（ｂ）と，パネル構成部材（ａ）の側壁の上部付近とパネル構成部材（ｂ）の平板状側壁の上部付近を連結する連結部材とからなることを特徴とする請求項１記載のフロアパネルであるから、床スラブに直接施工してもがたつかず不陸調整機能が優れており、上を歩行した際にフロアパネル本体や蓋ががたつくことがない。
【００６３】
請求項３記載のフロアパネルは、パネル構成部材（ａ）の天板及びパネル構成部材（ｂ）の天板に、該パネル構成部材（ａ）と該パネル構成部材（ｂ）を連結する連結部材を挟むように貫通孔が穿孔されていることを特徴とする請求項２記載のフロアパネルであるから、室温が変化してフロアパネルが膨張・  収縮しても、膨張・  収縮は連結部材と貫通孔により吸収され、フロアパネルが破壊されたり、上を歩行した際にがたつくことがない。
【００６４】
請求項４記載のフロアパネルは、支持部材は、天板の周囲から側壁が垂設されてなる中空で下方が開口された箱状であり、該側壁の下端部付近と円弧状側壁の下端部付近が板状接続部材により間隔をあけて連設されていることを特徴とする請求項１〜３のいずれか１項に記載のフロアパネルであるから、支持部材と円弧状側壁の間及び支持部材同士の間の両方に配線を設置することができ、配線を任意の方向に且つ短距離で容易に設置することができる。
【００６５】
請求項５記載のフロアパネルは、４個の支持部材は、その側壁下端部付近が十字状の板状接続部材によりお互いに接続されていることを特徴とする請求項４項に記載のフロアパネルであるから、支持部材が強固に接続されており、強固に蓋体を支持することができ、蓋体に大きな荷重がかかっても破壊されることがない。
【００６６】
又、配線用溝部はいずれの部分においても円弧状側壁と支持部材の側壁と接続部材により囲まれているので、配線がフロアパネルの下側にもぐりこむことがない。従って、フロアパネルががたついたり、フロアパネルによって押圧された配線が切断したり漏電することがない。
【００６７】
請求項６記載のフロアパネルは、円弧状側壁上部付近に、隣り合うパネル単位体の方向に配線突出防止用突起が設置されていることを特徴とする請求項１又は２記載のフロアパネルであるから、配線用溝部に配線を設置する際や、設置後に配線用溝部から配線がみだりに外れることがなく、配線を安全、容易且つ見栄えよく行うことができ、使用中に配線が配線用溝部から外部に露出し、切断されることがない。
【図面の簡単な説明】
【図１】本発明におけるパネル本体の一例を示す平面図である。
【図２】本発明におけるパネル本体の一例を示す底面図である。
【図３】本発明におけるパネル本体の一例を示す側面図である。
【図４】図１におけるＡ−Ａ破断面図である。
【図５】図１におけるＢ−Ｂ破断面図である。
【図６】図１におけるＣ−Ｃ破断面図である。
【図７】本発明における蓋部材（ａ）の一例を示す平面図である。
【図８】本発明における蓋部材（ａ）の一例を示す底面図である。
【図９】図７におけるＤ−Ｄ破断面図である。
【図１０】本発明における蓋部材（ｂ）の一例を示す平面図である。
【図１１】本発明における蓋部材（ｂ）の一例を示す底面図である。
【図１２】図１０におけるＥ−Ｅ破断面図である。
【図１３】図１０におけるＦ−Ｆ破断面図である。
【図１４】パネル本体に蓋体を装着した本発明のフロアパネルの一例を示す模式図である。
【図１５】図１におけるＢ−Ｂ破断面図において配線用溝部に蓋部材（ｂ）を装着した状態を示す破断面図である。
【符号の説明】
１  パネル本体
２  蓋体
２１  蓋部材（ａ）
２２  蓋部材（ｂ）
３  配線用溝部
４  パネル単位体
４１、４１１、４１２  天板
４２  円弧状側壁
４２１、４２２  リブ
４３、４３１、４３２、４３３、４３４、４３５、４３６、４３７、４３８  平板状側壁
４４  段部
４５  パネル構成部材（ａ）
４６  パネル構成部材（ｂ）
４７  連結部材
５、５１，５２  接続部材
６  支持部材
７  貫通孔
８  配線突出防止用突起
【図１】
2004250967.tif 000003
【図２】
2004250967.tif 000004
【図３】
2004250967.tif 000005
【図４】
2004250967.tif 000006
【図５】
2004250967.tif 000007
【図６】
2004250967.tif 000008
【図７】
2004250967.tif 000009
【図８】
2004250967.tif 000010
【図９】
2004250967.tif 000011
【図１０】
2004250967.tif 000012
【図１１】
2004250967.tif 000013
【図１２】
2004250967.tif 000014
【図１３】
2004250967.tif 000015
【図１４】
2004250967.tif 000016
【図１５】
2004250967.tif 000017